(57)【要約】【課題】このフックハンガーは披露宴、宴席、セミナーなど招かれて出席の折、持ち込んだ手荷物はクロークにて預けるが、女性は貴重品、携帯電話、化粧道具など入れたハンドバックは何時も身近に置き時折使いたい、しかし食事やお茶する時にバックすら置き場所が無いこともあり、困っても足元や背と椅子の間には置きたくない、こんな要望に応えた商品を提供します、安全でおしゃれで機能がありコンパクトで簡単装着性を取り入れた基本型です、多様な場所で使え、多用途を可能にした用具である。【解決手段】  環状のばね（１）の両端へ軸受（２）を設け、片端へエラストマー（３）を施す、一方の軸受にチュウブ（４）を施したことを特徴とする。【選択図】      図３
2010088594.tif 000002
【特許請求の範囲】
【請求項１】
環状ばね（１）の両端へ軸受（２）を設け、片端へエラストマー（３）を施す、一方の軸受にチュウブ（４）を施しことを特徴とする部品１のフックハンガー。
【請求項２】
線鋼材（５）を切断し、両端開口部を揃え（６）長方形仕様（７）、さらにフック（８）に形成したことを特徴とする請求項１へ記述した部品２のフックハンガー。
【請求項３】
部品１片方の軸受に部品２フックを填めて連結一体化（９）したことを特徴とする請求項１に記述したフックハンガー。
【発明の詳細な説明】
【技術分野】
【０００１】
本発明は、相手支持物へ容易に掛け留める事ができるフックハンガーに関するものである。
【背景技術】
【０００２】
このハンドバック用フックハンガーは、ハンドバックを掛けることで多く使われる、特に環状ばねとフックの双方がハンガーにも掛け具にも変化して様々な支持物への留め方、多様な使い方ができる、さらにベビーカーや各乗物内アシストグリップや凹凸部分へ留める物掛けでもあり、安全性、機能性、簡単着脱性、コンパクト性を取入れた基本型である、多様な場所で多用途を可能にした用具に関する。
【０００３】
既在の製品には、支持物への施用方法に限りがあり、一例をあげればテーブル上のみ施用ができる用具で在り、一部に突起もあり、安全上如何なものかと思われる、大切なことは支持物への施用範囲が限られており、消費者はコンパクトかつ携帯性、機能性、便利性、特に多用性を求めている。  
【発明の開示】
【発明が解決しようとする課題】
【０００４】
従来の携帯用バックハンガー自体が持つ単一機能と使用時不安全性を説明すると、限られた使用状態、例えば支持物のテーブルは薄め３０mm未満程度に留めバックは掛けることが出来るが、３０mm以上のテーブルからは外れかけて厚みのあるテーブルには用を足さない、また他の支持物への使用が出来ない、しかも形状の一部が突起しているため不意時の安全には不安がある。
本品に与えた課題とその対応について説明すると、市場調査の結果、日頃持ち歩くハンドバックの重さは500g程度迄であり、要求する支持物を掴み固定する物は多様であるが少なくも厚み35mm位に対応し、要求耐負荷１ｋｇあれば携帯用として充分とのことである。
本品の本体を形成する部品１環状ばねの役割は、相手物例えばテーブル、椅子など縦、横状の支持物を掴み鋏んで固定させ簡単着脱可能にすることにある、部品２フックはバックなど物を受け掛ける役割である。
電車内吊革ポール、ベビーカー丸管ハンドル、病院のベットパイプなど挟み掴んで留めることを可能にして機能性と多様性を加味し期待に応える、中でも通勤、通学の帰り、生ものを買い、しかし膝の上に置きたくない、このような時、グリップや車内の凹凸部に部品２のフック部分を掛けて、環状ばねを開き、ここに生ものを掛けることができる。
この環状ばねに本来の役割を超えて耐負荷対応させることに考え付いた、部品１と部品２はバックなどを掛けると言う共通の目的に沿って双方が対応するものです、しかもコンパクトと機能性の要求があり、中でも課題の難しさはコンパクト性の追求と使用者の安全確保上ユニバーサルデザインを如何にするか熟慮を重ね、部品１φと部品２φを同じ大きさに形成し連結する、このフックハンガーを手の掌に乗せ窄めると双方が重なって部品２が部品１へ入り込み一つ分スペースのコンパクト性が生れる。
それぞれ役割を与えた部品を連結一体化、本体を形成させたが、双方が役割を超えて働く用具に関する。    
【課題を解決するための手段】
【０００５】
本発明は請求項１のよう環状ばね（１）の両端へカール軸受（２）を設け、片端へエラストマー（３）施す、一方の軸受にチュウブ（４）を施したことを特徴とする部品１のフックハンガー。
イ、部品１の板鋼材厚み０,８mm幅８mmで３５φ環状を形成、両端へ内径４mmの軸受けを設けた、熱処理、バレル、メッキを施し、この片方の軸受けへ長さ２２mm外径４φの軸を介し、厚み７mm太さ１０mmエラストマーゴムを左右２個施している、これは相手物を傷めない為に講じたものである。
ロ、部品１の環状ばねに、より太厚の支持物対応を求める場合は環状ばねφを大きくする、又、より多くの耐負荷を求める場合二通りあり、環状ばね横幅を広くする方法と環状ばねを形成する板鋼材の厚みを多少講じることで解決する。
ハ、部品１の一方の軸受けにチュウブ内径２,５mm外径４mmを施しぐらつきを無くした。
ニ、エラストマーのゴムは形状又デザインが現状より変化させることができるが目的は同一である。
ホ、熱処理後に要求するばね強度値は支持物へ３５mm対応および耐負荷値１ｋｇ達成のために板鋼材横８ｍｍ厚み０，８ｍｍで施工した、このおよその数値を元にさらに高強度、高耐負荷を求める場合板鋼材の性質と使用上の条件を加味し環状φの大小、横幅広狭および厚みを太薄等勘案し講じることで解決する事ができる。
へ、環状φの大小、横幅、厚薄に変化を与えても目的は同一である。
【発明の効果】
【０００６】
また請求項２のように線鋼材（５）を必要な長さに切断し、両端開口部を揃え（６）長方形仕様（７）、さらに半円形状のフック（８）を形成し熱処理および表面処理とメッキを施したことを特徴とする請求項１へ記述した部品２のフックハンガー。  
イ、１２０mmで切断した線鋼材の両先端を開口部とし、開口部を揃合せ長方形に仕様する、次の工程で３５φ半円形状のフックに曲げ形成する、線鋼材でフックを形成とはコンパクト性、安全性など単純だが機能性に富む方法として熟慮した結果です。
ロ、必要な長さとは半円形状のフックを形成する前にフックの大きさを想定するがその大小は目的が同じならば同一である。                                              
ハ、熱処理後の要求強度および要求耐負荷値達成の為に線質、線番を考慮の上形成する部品２である。
ニ、熱処理後バレル、つぎにメッキを施している、要求強度、要求耐負荷とも達成している。
これまで掛け置き様のフックを作って来ました、その商品を販売すべく営業を重ねている時、取扱店の皆様から、披露宴や宴席に招かれた折、持ち込んだ手荷物はクロークで預かって呉れるが、女性はバックの中に貴重品、携帯、化粧具など入れ、必ず身のまわりに置く事を願う、置き場所が無いからと足元や背と椅子の間には置きたくない。
その対策として、小さくてバックに入れても嵩張らない、何処にでも使えるフックは無いだろうか、この様な要望が多く対応を約束し研究した。
完成までより多くの方々にも要望、意見を求め試作品を更に改良を重ね、間も無く完成する、完成後の商品は女性身近に持ち、ハンドバックの必需品として充分にその役割と効果を果たしてゆくことを確信した。
【発明を実施するための最良の形態】
【０００７】
さらに請求項３のように部品１片方の軸受に部品２フックを填めて連結一体化（９）したことを特徴とする請求項１へ記述したフックハンガー。
イ、軸受に施したチュウブの中に半円状フックの両先端の開口口を広げながら左右を挿入填めて固定させ連結一体化完成となる。
ロ、同じ鋼材同士なら部品１および２が３５φでも折畳みができない、片方を線鋼材のフックにすることに依り２つで１個分の容量となる。
【実施例１】
【０００８】
以下図面と請求項に副って実施の形態を説明する。
【実施例２】
【０００９】
図１、請求項１の部品１構成例を示す側面図である。
１．板鋼材を環状３５φに仕様、両先端へ内径４mmのカール軸受けを設けている、片方の軸受けにエラストマーを施し、一方の軸受けにフックを連結する目的で構成した部品１である。
【００１０】
図２、請求項２の部品２構成例を示す側面図である。
１、線鋼材を半円形状に仕様し片方の端面は部品１軸受へ填める、一方の端面はフックの開口部にするよう目的構成した部品２である。
【００１１】
図３、請求項２の長方形仕様構成例を示す正面図である。
１、部品２線鋼材を長方形に仕様し、両先端開口部を揃え仕様した一例です、ここから半円形状に曲げ、フックに成す。    
【００１２】
図４、請求項３の完成本体構成例を示す側面図である。
１、部品１の一方軸受けへ外径４mmのチュウブを施し、その中へ部品２の片方を填め連結一体化した完成図である。
【００１３】
図５、請求項３のコンパクト折畳み例示す側面図である。
１、完成本体を手のひらに乗せ窄めるしぐさを行うと部品２が部品１の中に重なり入り込み凡そ１個分の容量となる様構成した。
【００１４】
図６は請求項３の使用時を示す参考斜視図である。
【図面の簡単な説明】
【００１５】
【図１】本発明の請求項１の部品１構成例を示す側面図である
【図２】本発明の請求項２の部品２構成例を示す側面図である
【図３】本発明の請求項２の長方形仕様構成例を示す正面図である
【図４】本発明の請求項３の完成本体構成例を示す側面図である
【図５】本発明の請求項３のコンパクト折畳み例を示す側面図である
【図６】本発明の請求項３の使用時を示す参考斜視図である
【符号の説明】
【００１６】
１  環状ばね
２  軸受
３  エラストマー
４  チュウブ
５  線鋼材
６  両端開口部揃え
７  長方形仕様
８  フック  
９  連結一体化
【図１】
2010088594.tif 000003
【図２】
2010088594.tif 000004
【図３】
2010088594.tif 000005
【図４】
2010088594.tif 000006
【図５】
2010088594.tif 000007
【図６】
2010088594.tif 000008